(57)【特許請求の範囲】
【請求項１】
係合孔（４）の場所が異なるブラケット（１）と、前記係合孔（４）の場所に対応する複数の取り付けユニット（５´）が凹部（６）を設けて備えられた電子機器本体（３）とで構成され、
前記ブラケット（１）は、前端面を開放して開口（２）とした箱状のものであり、前記ブラケット（１）の係合孔（４）は、ブラケット（１）の開口端から切り欠いた切欠（４ａ）と、その切欠（４ａ）の後方に直列に設けた孔（４ｂ）とで構成され、
一方、電子機器本体（３）の各取り付けユニット（５´）は、
ネジ軸（８）を挿通した引き込みブロック（７）と、ネジ軸（８）に沿って左右に設けられた第１と第２の当接片（９ａ、９ｂ）とで構成され、
前記引き込みブロック（７）は、ネジ軸（８）が挿通されたネジ孔に雌ネジが形成され、かつ、前後に間隔を置いて左右方向に９０°ずらせた第１の爪（７ａ）と第２の爪（７ｂ）を有し、
前記第１と第２の当接片（９ａ、９ｂ）のどちらか一方に、引き込みブロック（７）の第２の爪（７ｂ）が通過できる切り欠き（１５）を形成し、
前記電子機器本体（３）に設けられた取り付けユニット（５´）は、ネジ軸（８）を回転操作部材（３０）で回転して引き込みブロック（７）の第２の爪（７ｂ）を第１の当接片（９ａ）に当て、第１の爪（７ａ）が垂直になって先端が凹部（６）から飛び出すと、ネジ軸（８）を逆方向へ回転して第２の爪（７ｂ）を第１あるいは第２の当接片（９ａ、９ｂ）に設けられた切り欠き（１５）へ嵌めることで、引き込みブロック（７）を９０°回転させて第１と第２の爪（７ａ、７ｂ）の先端が凹部（６）から飛び出さないようにしておき、ブラケット（１）への取り付け時に、ブラケット（１）の係合孔（４）の場所に対応するユニット（５´）のネジ軸（８）を回転操作部材（３０）で回転して第２の爪（７ｂ）を凹部（６）から飛び出させたのち、ネジ軸（８）を回転して第１の爪（７ａ）を凹部（６）から飛び出させて取り付けユニット（５´）を使用できる状態にして、電子機器本体（３）をブラケット（１）の開口（２）から嵌入してブラケット（１）の係合孔（４）の切欠（４ａ）に第１の爪（７ａ）が嵌まって止まると、ネジ軸（８）を回転して引き込みブロック（７）を９０°回転させて、第２の爪（７ｂ）の先端を後方の係合孔（４ｂ）と係合させて固定する電子機器の取り付け構造。
【発明の詳細な説明】
【技術分野】
【０００１】
この発明は、係合孔の場所が異なる複数のブラケットに取り付けられるようにした電子機器の取り付け構造に関するものである。
【背景技術】
【０００２】
小型航空機、車両、小型船舶などのコクピットに取り付ける電子機器（例えば、無線、オーディオ、ＧＰＳ）には、箱型のブラケット（ラックと呼ばれる場合がある）の前面の開口から機器本体を嵌入し、ブラケットに設けた係合孔に、機器本体設けた取り付けユニットの突起状の爪を係合させて固定するものがある。
【０００３】
例えば、（非特許文献１）に示す図８のエアーバンド用無線機では、ブラケット１は、前端面を開放して開口とし、後端面に、図示はしていないが、例えば、コネクタやソケットあるいは接続ピンなどを設けた箱状のもので、その開口から電子機器本体３を嵌入して固定すると、電子機器本体３の接続も完了するようになっている。このとき、ブラケットの側面（図８では上面）には、係合孔４が設けてあって、この係合孔４を用いて電子機器本体３を固定するようになっている。
【０００４】
すなわち、係合孔４は、図９（ａ）に示すように、ブラケット１の開口端から切り欠いた角形の切欠４ａとその切欠４ａの後方に間隔を置いて直列に設けた角形の孔４ｂとからなっている。
【０００５】
一方、機器本体３は、取り付けユニット５を備えている。取り付けユニット５は、機器本体３の側面（図では上面）に、図９（ｂ）のように凹部６を設けて、その凹部６に、左右方向に９０度ずらせた一対の突起状の第１と第２の爪７ａ、７ｂを前後に間隔を置いて形成した引き込みブロック７に回転軸（以下、ネジ軸）８を挿通して取り付け、前記第１と第２の爪７ａ、７ｂの先端が側面（上面）から突出するようにしてある。この凹部６には、ネジ軸８の左右に、ネジ軸８に沿って第２の当接片９ｂ（図９（ｂ）では片方だけ記してある）を設けて第１と第２の爪７ａ、７ｂが当るようにしてある。
【０００６】
また、ネジ軸８の先端頭８ａは、機器本体３のフロントパネル１２に突出するようにしてあって、フロントパネル１２から突出した先端を回転操作部（以下、頭）８ａとして、六角レンチ３０用の嵌合穴を設けてある。
【０００７】
このように構成される取り付け構造では、ブラケット１は、例えば、コクピットの計器パネル内に取り付けてあって、その計器パネルに取り付けたブラケット１の開口２に、機器本体３を後方側（後ろ向き）にして嵌入する。その際、機器本体３の取り付けユニット５は、初期状態（第２の爪７ｂが垂直で先端が凹部６から飛び出した状態）となっているので、ブラケット１に嵌入する前に、まず、機器本体３のフロントパネル１２にあるネジ軸８の頭８ａに六角レンチ３０を嵌めて反時計方向に回し、引き込みブロック７を９０度回転して第２の爪７ｂが第１の当接片９ａ（向って左）に当ってストップするまで回す。さらに、反時計方向へ回すと、引き込みブロック７がネジ軸８によって後方へ送られる。
【０００８】
このとき、第２の爪７ｂに対して９０度ずれた第１の爪７ａは、凹部６から先端が飛び出した状態になるので、この状態で飛び出した第１の爪７ａがブラケット１の係合孔４の切欠４ａに嵌まって止まるまで、図９（ａ）、（ｂ）のように、機器本体３をブラケット１に嵌入する。機器本体３が止まると、ネジ軸８を時計方向に回すと、引き込みブロック７が９０度回転し、第１の爪７ａが第２の当接片９ｂ（向って右）に当ってストップする。このとき、引き込みブロック７の第１の爪７ａと第２の爪７ｂの間隔と、ブラケット１の係合孔４の切欠４ａとその後方の角形の孔４ｂとの間隔は、ほぼ同じ（第１と第２の爪７ａと爪７ｂの間隔の方が大きい）にしてある。そのため、第２の爪７ｂの先端が、図１０（ａ）のように、角形の孔４ｂから飛び出す。さらに、この状態で、図１０（ｂ）のように、時計方向に回すと、第２の爪７ｂが前方に移動しようとするが、第２の爪７ｂが角形の孔４ｂの辺に当っているので、機器本体３は、図１０（ｃ）の矢印のようにブラケット内へ送られ、最奥部へ達するとそこで固定されるというものである。
【０００９】
ちなみに、ブラケット１から電子機器本体３を取外す場合は、機器本体３のフロントパネル１２に設けられたネジ軸８の頭８ａに六角レンチ３０を嵌めて反時計方向に回すと、ネジ軸８によって引き込みブロック７が後方へ送られると同時に、ブロック７の第２の爪７ｂとブラケット１の角形の孔４ｂとの係合が解除されて９０度回転し、係合孔４の切欠４ａから第１の爪７ａが突出する。さらに、この状態で、ネジ軸８を反時計方向に回転すると、第１の爪７ａが切欠４ａの後方の辺に当接してブラケット１を後方へ押すので、その反作用として機器本体３がブラケット１から押し出される。このように、取り外しも六角レンチ３０を回すだけで簡単にできる。
【非特許文献１】アイコム株式会社 ＩＮＳＴＲＵＣＴＩＯＮ ＭＡＮＵＮＬ ＶＨＦ ＡＩＲ ＢＡＮＤ ＴＲＡＮＳＣＥＩＶＥＲ ＩＣ−Ａ２００（５ページ）、［平成１９年６月２０日 検索］インターネット<http://www.icom.co.jp/ manual/external/transceivers/IC-A200.pdf>
【発明の開示】
【発明が解決しようとする課題】
【００１０】
しかし、上記のエアーバンド用の無線機器では、取り付けに使用されるブラケットに何種類かあって、係合孔の場所が異なる複数のブラケットが存在する。そのため、無線機器には専用ブラケットが付属していて、その専用ブラケットでしか取り付けできなかった。
【００１１】
この問題を解決する１つの方法として、例えば、無線機器本体に、複数の取り付けユニットを備えて、その中からブラケットの係合孔に対応するユニットを使うようにすれば、ブラケットを交換しなくても無線機本体だけを交換できるはずである。
【００１２】
しかしながら、上記の取り付けユニットでは、取り付けの際に、凹部から一方の爪が飛び出す構造になっているので、機器本体に余分に設けた場合、飛び出た爪がブラケットの開口に当って使用できない問題が考えられる。
【００１３】
そこで、この発明の課題は、ブラケットを取替えなくても電子機器本体の取替えができるようにして複数のブラケットに対応できるようにすることである。
【課題を解決するための手段】
【００１４】
上記の課題を解決するため、この発明では、係合孔の場所が異なるブラケットと、前記係合孔の場所に対応する複数の取り付けユニットが凹部を設けて備えられた電子機器本体とで構成され、前記ブラケットは、前端面を開放して開口とした箱状のものであり、前記ブラケットの係合孔は、ブラケットの開口端から切り欠いた切欠と、その切欠の後方に直列に設けた孔とで構成され、一方、電子機器本体の各取り付けユニットは、ネジ軸を挿通した引き込みブロックと、ネジ軸に沿って左右に設けられた第１と第２の当接片とで構成され、前記引き込みブロックは、ネジ軸が挿通されたネジ孔に雌ネジが形成され、かつ、前後に間隔を置いて左右方向に９０°ずらせた第１の爪と第２の爪を有し、前記第１と第２の当接片のどちらか一方に、引き込みブロックの第２の爪が通過できる切り欠きを形成し、前記電子機器本体に設けられた取り付けユニットは、ネジ軸を回転操作部材で回転して引き込みブロックの第２の爪を第１の当接片に当て、第１の爪が垂直になって先端が凹部から飛び出すと、ネジ軸を逆方向へ回転して第２の爪を第１あるいは第２の当接片に設けられた切り欠きへ嵌めることで、引き込みブロックを９０°回転させて第１と第２の爪の先端が凹部から飛び出さないようにしておき、ブラケットへの取り付け時に、ブラケットの係合孔の場所に対応するユニットのネジ軸を回転操作部材で回転して第２の爪を凹部から飛び出させたのち、ネジ軸を回転して第１の爪を凹部から飛び出させて取り付けユニットを使用できる状態にして、電子機器本体をブラケットの開口から嵌入してブラケットの係合孔の切欠に第１の爪が嵌まって止まると、ネジ軸を回転して引き込みブロックを９０°回転させて、第２の爪の先端を後方の係合孔と係合させて固定するという構成を採用したのである。
【００１５】
このような構成を採用することにより、回転軸を回転させて、引き込みブロックの一方の爪を当接片の一部に設けた切り欠きに通過（嵌入）させれば、引き込みブロックの回転範囲の制限を解除することができるので、他方の爪が突出しないようにできる。
【００１７】
このような構成を採用することにより、電子機器をブラケットに取り付ける際は、ブラケットの係合孔に対応する取り付けユニットの爪だけを飛び出させて使用し、残りは作動せずに爪を収納したままにして邪魔をしないようにして取り付ける。
【００１９】
このような構成を採用することにより、ブラケットの開口部に、電子機器本体を挿入する際に、電子機器本体のフロントパネルに突出した前記ネジ軸の先端を回転して、取り付けユニットの第１あるいは第２の当接片の切り欠きに、前記当接片に当たっていた第１あるいは第２の爪を通過（嵌入）すれば、引き込みブロックをさらに９０度回転させることができる。このように回転範囲を広げて（９０度）回転させると、突出していた第１の爪を横向きに寝かせて突出しないようにできる。そのため、取り付けユニットを機器本体に複数個設けて固定に使わない取り付けユニットの爪がブラケットの開口部に当たらないようにすると共に、取り付けに使用する取り付けユニットのネジ軸を回転させて第２の爪を開口部の切欠の後方の角形の孔と係合させれば、電子機器の取り付けができる。
【発明の効果】
【００２０】
この発明は、上記のように構成したことにより、時間と手間を掛けてブラケットを取替えなくても電子機器本体の取替えができる。そのため、電子機器本体を簡単に交換できるので、ユーザの買い替えニーズにも対応できる。
【発明を実施するための最良の形態】
【００２１】
以下、この発明を実施するための最良の形態を図面に基づいて説明する。
【００２２】
図１及び図２に示すように、この形態の電子機器本体（エアーバンド用無線機本体）３には、複数（２個所）の取り付けユニット５´が設けられている。前記ユニット５´は、ケースの側部である上面と底面の前端部分に設けてあって、上面のものは右端（向って）に設けてある。また、底面の取り付けユニット５´は、上面のものと係合孔４の位置の異なるブラケットに取り付けられるようにほぼ中央に設けてある。
【００２３】
各々の取り付けユニット５´は、図３（ａ）、（ｂ）のように、ケースに長方形の凹部６を設けて、その凹部６に、図４（ａ）に示すように、引き込みブロック７を挿通したネジ軸８を取り付けた構造となっている。引き込みブロック７は、図３（ｂ）のように、左右方向に９０度ずらせた一対の第１と第２の爪７ａ、７ｂを前後に間隔を置いて形成したもので、前記ブロック７の軸心には、雌ねじを切ったネジ孔を設けてある。この図３（ｂ）のものでは、引き込みブロック７の第１の爪７ａに対して第２の爪７ｂを９０度遅らせた（−９０度）形状となっている。こうすることで、後述のように、ネジ軸８を右（正）ネジ方向に回転させれば、ネジを普通に締める場合と同様に固定できるようにしてある。逆に、爪７ｂを９０度進めて、左（逆）ネジ方向に回転することで固定するようにしてもよい。
【００２４】
一方、前記引き込みブロック７の前方と第２の爪７ａ、７ｂの間隔は、後述するブラケットの係合孔４の切欠４ａと角形の孔４ｂの間隔とほぼ等しく（大き目は可、小さめは不可）してある。こうすることで、第１の爪７ａが係合孔４の切欠４ａにあるときに、引き込みブロック７を回転すると、図４（ｂ）のように、角形の孔４ｂから第２の爪７ｂが飛び出すようにしてある。
【００２５】
また、この爪７ａと７ｂの間の間隔部分には、回り止め１０が取り付けられている。回り止め１０は、Ｕ型の弾性部材（バネ）で、第１の爪７ａと第２の爪７ｂの間を一部切り欠いて露出部を形成し、その露出部に嵌めてある。こうすることで、回り止め１０とネジ軸８との摩擦により、爪７ａまたは７ｂがフリーの状態（後述の第１の当接片９ａ、９ｂに当らない）のときに、ネジ軸８の回転に引き込みブロック７が追従するようにしてある。
【００２６】
ネジ軸８は、凹部６の長手方向（前後方向）を軸方向として、第１と第２の爪７ａ、７ｂの先端が図４（ｂ）のように、上面（底面）から突出するように少し浅めに取り付けてある。また、ネジ軸８は、図４（ａ）のように、ネジ軸８に頭８ａを設けて、その頭８ａと抜け止め用のピン１１とで係止することで、軸方向に移動しないように回動自在に支持されている。このとき、ネジ軸８の頭８ａには、六角レンチ３０の係合用の穴を設けて、機器本体３のフロントパネル１２に突出するようにしてある。こうすることで、ブラケット１の係合孔４に対応するフロントパネル１２のネジ軸８の頭８ａを回せば固定できるので、使い方が簡単に理解できるようにしてある。
【００２７】
また、ネジ軸８の左右には、図３（ａ）、（ｂ）に示すように、ネジ軸８に沿って第１と第２の当接片９ａ、９ｂが設けてあって、第１と第２の爪７ａ、７ｂが当るようにしてある。この形態では、凹部６の底面にネジ軸に沿って隙間１３を設け、引き込みブロック７の軸心が当らないようにして、凹部６の底面が第１と第２の当接片９ａ、９ｂとなるようにしてある。これ以外にも、第１と第２の当接片９ａ、９ｂを設ける方法としては、例えば、凹部６と別体に作ったものを取り付けるようにしてもよい。
【００２８】
この第１と第２の当接片９ａ、９ｂの後端には、切り欠き１５が設けてある。前記切り欠き１５は、図３（ｂ）の上面のものでは、向って左（底面のものでは右）の第１の当接片９ａに設けてあって、前記切り欠き１５は、爪７ｂが嵌まる幅に形成されている。なお、この切り欠き１５は、先にも述べた逆ネジにする場合は、向って右側の第１の当接片９ａに設ければよい。また、第１の爪７ａに適用する場合は、第１の当接片９ａ、９ｂの前端側に設ければよい。
【００２９】
一方、ブラケット（ラック）１は、従来例で述べた箱状のもので、図１のように、前端面を開放して開口２とし、後端面には、図示はしていないが、例えば、コネクタやソケットあるいは接続ピンなどを設けたものである。また、ブラケット１の上面の右端に、係合孔４が設けられている。
【００３０】
前記係合孔４は、図２に示すように、ブラケット１の開口端から切り欠いた角形の切欠４ａと、その切欠４ａの後方に、間隔を置いて直列に設けた角形の孔４ｂとからなっている。
【００３１】
この形態は、上記のように構成されており、例えば、図４（ａ）のように、フロントパネル１２のネジの頭８ａに六角レンチ３０を差し込んで操作し、図６（ｄ）のように電子機器本体３の取り付けユニット５´から第１と第２の爪７ａ、７ｂの先端が飛び出さない状態にして使用（出荷）する。
【００３２】
すなわち、図５（ａ）のように、ネジ軸８を反時計方向に回し、引き込みブロック７の第２の爪７ｂが第１の当接片９ａに当るようにする。こうすると、第１の爪７ａが垂直になって先端が凹部６から飛び出した状態になる。この状態で、図５（ｂ）のように反時計方向に回すと、引き込みブロック７がネジ軸８によって後方へ送られる。そのため、後方へ送られた引き込みブロック７の第２の爪７ｂが図５（ｃ）のように、第１の当接片９ａの切り欠き１５に達すると、図６（ｄ）のように、切り欠き１５に嵌まり込んで、引き込みブロック７は９０度回転する。このように、回転範囲の制限が解除されて、前記ブロック７が９０度回転すると、第１の爪７ａは、横向きに寝て凹部６から先端が飛び出さなくなるが、続けて反時計方向にして、最奥まで送って凹部６の壁に当接させてこの状態で止める。
【００３３】
したがって、このように回転範囲を広げて、取り付けユニット５´の第１と第２の爪７ａ、７ｂの飛び出しを無くすことができるので、取り付けユニット５´の一方を第２の爪７ｂが収納した状態で固定すれば、もう一方の取り付けユニット５´（ブラケット１の係合孔４に対応（合致）したもの）で機器本体３をブラケット１に固定することが可能になるのである。
【００３４】
次に、各取り付けユニット５´の第２の爪７ｂを収納した機器本体３をブラケット１に固定する方法を説明する。
【００３５】
この場合、機器本体３に設けられた全ての取り付けユニット５´は、図６（ｅ）のように、爪７ｂが収納された状態なので、使用する取り付けユニット５´のみを使える状態にする。
【００３６】
すなわち、使用するブラケット１の係合孔４の位置に対応するフロントパネル１２のネジ軸８の頭８ａに六角レンチ３０を差し込んで、図６（ｆ）のように、時計方向に回すのである。すると、まず、引き込みブロック７が１８０度回転し、第１の爪７ａが第２の当接片９ｂに当って止まる。この時、第２の爪７ｂは、垂直に起立して先端が凹部６から飛び出した状態である。更に、ネジ軸８を時計方向に回すと、第１の爪７ａが第２の当接片９ｂに当っているので、引き込みブロック７は前方に送られる。そして、第２の爪７ｂの前面が、切り欠き１５の前方の辺を越えたら、ネジ軸８を図７（ｇ）のように反時計方向に、第２の爪７ｂが第１の当接片９ａに当って止まるまで回す。こうすると、第１の爪７ａが、図７（ｈ）のように垂直に起立して、凹部６から先端が飛び出した状態になる。これで、使える状態になったので、あとは従来例で述べたのと同じ方法で固定することができる。
【００３７】
機器本体３のブラケット１への取り付け方法を図９及び図１０を使って簡単に説明すると、凹部６から第１の爪７ａの先端が飛び出した状態で、飛び出した第１の爪７ａがブラケット１の係合孔４の切欠４ａに嵌まって止まるまで、図９（ａ）、（ｂ）のように、機器本体３をブラケット１に嵌入する。機器本体３が止まると、ネジ軸８を時計方向に回す。すると、引き込みブロック７が９０度回転し、第１の爪７ａが第２の当接片９ｂ（向かって右）に当ってストップし、第２の爪７ｂの先端が、図１０（ａ）のように、角形の孔４ｂから飛び出す。さらに、この状態で、図１０（ｂ）のように、時計方向に回すと、第２の爪７ｂは角形の孔４ｂの辺に当っているので、機器本体３が、図１０（ｃ）の矢印のようにブラケット内へ送られ、最奥部へ達するとそこで固定される。このように、六角レンチ３０でネジ軸を回転させるだけで、機器本体３をブラケット１に固定できる。
【００３８】
このように、ブラケット１に取り付ける場合には、上面の取り付けユニット５´を使って取り付ける。また、係合孔４が底面の中央付近にあるブラケットに取り付ける場合は、上面の取り付けユニット５´の引き込みブロック７を格納した状態とし、底面の取り付けユニット５´を使用して取り付ける。
【００３９】
このようにして、係合孔４の位置の異なる複数の種類のブラケット１に対応することができる。また、従来から使用されている取り付けユニット５と比較して、第１の当接片９ａに切り欠き１５を設けるだけなので、主要部品は従来機種のものが使え、安価に実現できる。
【産業上の利用可能性】
【００４０】
この発明は、機器本体に設けた突起状の爪を箱型のブラケットに設けた係合孔に係合させて固定するものであれば、適用可能なので、例えば、前記の固定構造を使用する小型航空機、車両、小型船舶などのコクピットに取り付ける電子機器（例えば、無線、オーディオ、ＧＰＳ）に利用できる。
【図面の簡単な説明】
【００４１】
【図１】実施形態の分解斜視図
【図２】図１の要部拡大図
【図３】（ａ）実施形態の一部切欠断面図、（ｂ）（ａ）の分解斜視図
【図４】（ａ）実施形態の断面図、（ｂ）（ａ）のＢ−Ｂ断面図
【図５】（ａ）、（ｂ）、（ｃ）実施形態の作用説明図
【図６】（ｄ）、（ｅ）、（ｆ）実施形態の作用説明図
【図７】（ｇ）、（ｈ）実施形態の作用説明図
【図８】従来例の作用説明図
【図９】（ａ）従来例の作用説明図、（ｂ）（ａ）の断面図
【図１０】（ａ）、（ｂ）、（ｃ）従来例の作用説明図
【符号の説明】
【００４２】
１  ブラケット
２  開口
３  電子機器本体
４  係合孔
４ａ  切欠
４ｂ  角孔
５  取り付けユニット
５´  取り付けユニット
６  凹部
７  引き込みブロック
７ａ  第１の爪
７ｂ  第２の爪
８  ネジ軸
９ａ  第１の当接片
９ｂ  第２の当接片
１５  切り欠き
【図１】
0004893521.tif 000002
【図２】
0004893521.tif 000003
【図３】
0004893521.tif 000004
【図４】
0004893521.tif 000005
【図５】
0004893521.tif 000006
【図６】
0004893521.tif 000007
【図７】
0004893521.tif 000008
【図８】
0004893521.tif 000009
【図９】
0004893521.tif 000010
【図１０】
0004893521.tif 000011